(57)【要約】【課題】画像を表示すると同時に、光通信を行うことが出来る表示装置を実現する。【解決手段】表示領域１０００と、前記表示領域１０００に光通信信号を供給す第１の領域と、前記表示領域１０００に映像信号線を供給する第２の領域とが存在する表示装置であって、前記第１の領域と前記表示領域の間には、第１のＴＦＴ５０が存在し、前記第２の領域と前記表示領域の間には、第２のＴＦＴ６０が存在し、前記第２のＴＦＴ６０がＯＮしているときは映像信号が入力され、前記第１のＴＦＴ５０はＯＦＦしており、前記第１のＴＦＴ５０がＯＮしているときは光通信信号が入力され、前記第２のＴＦＴ６０はＯＦＦしており、前記第１のＴＦＴ５０がＯＮしているときは光通信が行われていることを特徴とする表示装置。【選択図】図５
2018072717.tif 000002
【特許請求の範囲】
【請求項１】
表示領域と、前記表示領域に光通信信号を供給す第１の領域と、前記表示領域に映像信号線を供給する第２の領域とが存在する表示装置であって、
前記第１の領域と前記表示領域の間には、第１のＴＦＴが存在し、
前記第２の領域と前記表示領域の間には、第２のＴＦＴが存在し、
前記第２のＴＦＴがＯＮしているときは映像信号が入力され、前記第１のＴＦＴはＯＦＦしており、
前記第１のＴＦＴがＯＮしているときは光通信信号が入力され、前記第２のＴＦＴはＯＦＦしており、
前記第１のＴＦＴがＯＮしているときは光通信が行われていることを特徴とする表示装置。
【請求項２】
前記表示領域には、第１の方向に複数の走査線が延在して第２の方向に配列し、
前記映像信号を書き込むときは、前記走査線を順次ＯＮして映像信号を書込み、
前記光信号を発信する時は、前記複数の走査線の全てがＯＮしていることを特徴とする請求項１に記載の表示装置。
【請求項３】
前記表示領域には、第１の方向に複数の走査線が延在して第２の方向に配列し、
前記映像信号を書き込むときは、前記走査線を順次ＯＮして映像信号を書込み、
前記光信号を発信する時は、前記複数の走査線の所定の数が全てＯＮしていることを特徴とする請求項１に記載の表示装置。
【請求項４】
前記映像信号の書き込みの後、黒表示を行い、前記黒表示の後、前記光通信を行うことを特徴とする請求項１に記載の表示装置。
【請求項５】
前記映像信号の書き込みの後、ホールド期間を有し、その後黒表示を行い、前記黒表示の後、前記光通信を行うことを特徴とする請求項１に記載の表示装置。
【請求項６】
前記第１の領域は、前記表示領域に対して第１の側に形成され、前記第２の領域は、前記第１の側と対向する第２の側に形成されていることを特徴とする請求項１に記載の表示装置。
【請求項７】
前記光通信信号の実効値を計算する演算装置と、前記実効値を輝度データに反映する演算装置とを有することを特徴とする請求項１に記載の表示装置。
【請求項８】
第１のフレームにおいて入力された前記映像信号はフレームメモリに書き込まれ、前記第１のフレームに続く、第２のフレームにおいて表示されることを特徴とする請求項１に記載の表示装置。
【請求項９】
前記表示装置は有機ＥＬ表示装置であることを特徴とする請求項１乃至８のいずれか１項に記載の表示装置。
【請求項１０】
前記表示装置は液晶表示装置であることを特徴とする請求項１乃至８のいずれか１項に記載の表示装置。
【請求項１１】
有機ＥＬ層を含む表示領域と、カソード電源とアノード電源を含む有機ＥＬ表示装置であって、
前記カソード電源には光通信信号が重畳され、
前記表示領域から前記光通信信号が発信され、
前記光通信信号の実行値を計算し、
前記実効値を輝度データに反映する演算装置を有することを特徴とする有機ＥＬ表示装置。
【請求項１２】
画像を表示する期間は、映像信号を書き込む期間と前記映像信号を各画素にホールドする期間とを有し、前記光通信信号は前記ホールド期間において行われることを特徴とする請求項１１に記載の有機ＥＬ表示装置。
【請求項１３】
前記光通信は、前記表示領域の一部の領域を用いて行われることを特徴とする請求項１１に記載の有機ＥＬ表示装置。
【請求項１４】
有機ＥＬ層を含む表示領域と、カソード電源とアノード電源を含む有機ＥＬ表示装置であって、
前記アノード電源には光通信信号が重畳され、
前記表示領域から前記光通信信号が発信され、
前記光通信信号の実行値を計算し、
前記実効値を輝度データに反映する演算装置を有することを特徴とする有機ＥＬ表示装置。
【請求項１５】
画像を表示する期間は、映像信号を書き込む期間と前記映像信号を各画素にホールドする期間とを有し、前記光通信信号は前記ホールド期間において行われることを特徴とする請求項１４に記載の有機ＥＬ表示装置。
【請求項１６】
前記光通信は、前記表示領域の一部の領域を用いて行われることを特徴とする請求項１４に記載の有機ＥＬ表示装置。
【発明の詳細な説明】
【技術分野】
【０００１】
本発明は表示装置に係り、特に光による外部との通信が可能な有機ＥＬ表示装置及び液晶表示装置に関する。
【背景技術】
【０００２】
光によって情報を通信する技術はすでに一般的であるが、これまでは、光通信信号専用の発信機と受信機が必要であった。近年、液晶表示装置のバックライトとしてＬＥＤが用いられていることから、ＬＥＤからの出力光に光通信のための信号を重畳させることによって、光通信を可能とする技術が開発されている。一方、薄型表示装置として有機ＥＬ表示装置も開発が進められており、有機ＥＬ表示装置を光通信手段として使用する要求もある。
【０００３】
特許文献１には、バックライトを用いて、液晶表示装置から光信号を発信する技術が記載されている。特許文献２には、照明に光通信のための信号を重畳させることによって、表示領域を受信器として使用する技術が記載されている。特許文献３には、液晶表示装置のバックライトを、表示領域において、光が必要な部分のみに照射する、いわゆるローカルディミングの技術が記載されている。
【先行技術文献】
【特許文献】
【０００４】
【特許文献１】特開２００４−３２８６３２号公報
【特許文献２】特開２００６−９４０１４号公報
【特許文献３】特開２０１１−１１８１９５号公報
【発明の概要】
【発明が解決しようとする課題】
【０００５】
有機ＥＬ表示装置は、発光素子となる有機ＥＬ層を画素毎に形成し、これをマトリクス状に配置することによって画像を形成する。各画素には、有機ＥＬ層に加えて、駆動トランジスタ、選択トランジスタがＴＦＴ（Ｔｈｉｎ  Ｆｉｌｍ  Ｔｒａｎｓｉｓｉｔｏｒ）によって形成され、また、信号を蓄積するための蓄積容量等が形成されている。
【０００６】
有機ＥＬ層は透明電極で形成されたカソードと透明電極で形成されたアノードで挟持され、映像信号に応じた直流電流によって駆動される。本発明の課題は、有機ＥＬ表示装置等において、画像を表示すると同時に、光通信を可能にする技術を実現することである。
【課題を解決するための手段】
【０００７】
本発明は上記課題を実現するものであり、代表的な手段は次のとおりである。
【０００８】
（１）表示領域と、前記表示領域に光通信信号を供給す第１の領域と、前記表示領域に映像信号線を供給する第２の領域とが存在する表示装置であって、前記第１の領域と前記表示領域の間には、第１の制御ＴＦＴが存在し、前記第２の領域と前記表示領域の間には、第２のＴＦＴが存在し、前記第２のＴＦＴがＯＮしているときは映像信号が入力され、前記第１のＴＦＴはＯＦＦしており、前記第１のＴＦＴがＯＮしているときは光通信信号が入力され、前記第２のＴＦＴはＯＦＦしており、前記第１のＴＦＴがＯＮしているときは光通信が行われていることを特徴とする表示装置。
【０００９】
（２）前記表示領域には、第１の方向に複数の走査線が延在して第２の方向に配列し、前記映像信号を書き込むときは、前記走査線を順次ＯＮして映像信号を書込み、前記光信号を発信する時は、前記複数の走査線の全てがＯＮしていることを特徴とする（１）に記載の表示装置。
【００１０】
（３）有機ＥＬ層を含む表示領域と、カソード電源とアノード電源を含む有機ＥＬ表示装置であって、前記カソード電源には光通信信号が重畳され、前記表示領域から前記光通信信号が発信され、前記光通信信号の実行値を計算し、前記実効値を輝度データに反映する演算装置を有することを特徴とする有機ＥＬ表示装置。
【００１１】
（４）有機ＥＬ層を含む表示領域と、カソード電源とアノード電源を含む有機ＥＬ表示装置であって、前記アノード電源には光通信信号が重畳され、前記表示領域から前記光通信信号が発信され、前記光通信信号の実行値を計算し、前記実効値を輝度データに反映する演算装置を有することを特徴とする有機ＥＬ表示装置。
【図面の簡単な説明】
【００１２】
【図１】表示装置を用いて光データを送信する例を示す概念図である。
【図２】通常の画像表示方法を示す例である。
【図３】本発明による画像表示と光通信を行う例である。
【図４】本発明による有機ＥＬ表示装置の構成を示す例である。
【図５】本発明の動作を示す図である。
【図６】実施例２の動作を示す図である。
【図７】実施例２の他の形態の動作を示す図である。
【図８】実施例３の第１の形態を示す図である。
【図９】実施例３の第２の形態を示す図である。
【図１０】光通信に対する輝度補正の例を示す図である。
【発明を実施するための形態】
【００１３】
以下に実施例を用いて本発明の内容を詳細に説明する。
【実施例１】
【００１４】
図１は本発明を適用した例であり、通常どおり、有機ＥＬ表示装置１００によって画像を表示すると同時に天気予報のデータ１１０を光によって、有機ＥＬ表示装置１００から配信している例である。すなわち、図１では、有機ＥＬ表示装置１００にはテキストが表示されているが、表示装置に表示されたデータとは全く別の、天気予報のデータ１１０が複数の場所に配信されている。このようなデータは、例えば、スマートフォン等に搭載された光センサ等によって受信する。
【００１５】
図２は有機ＥＬ表示装置における画像表示方法を示す図である。図２において、１フレームは信号書込み期間、ホールド期間、黒表示期間に分かれている。信号書込み期間は、走査線（以後ゲート線ともいう）を順次走査して、各走査線毎に映像信号を書き込むプロセスである。ホールド期間は、書き込んだ後、そのデータを所定の期間ホールドすることによって画面輝度を確保する期間である。
【００１６】
黒表示は、書き込んだ映像信号をリセットして、次のフレームにおけるデータを各画素に書き込むことを可能にする期間である。また、この黒表示期間は、動画のぼやけを軽減する効果を有する。さらに、この黒表示期間は、画像のコントラストを向上させる役割を有する。
【００１７】
図３は、本発明における有機ＥＬ表示装置の駆動方法を示す図である。図３において、信号書込み期間とホールド期間は図２と同様である。本発明の特徴は、黒表示の期間を光通信の期間と黒表示の期間に分けている点である。図３において、ホールド期間が終わった後、黒表示を行う。その後、ゲート線を全てＯＮにして、各有機ＥＬ層に光信号を入力するとともに、各有機ＥＬ層から光信号を発信する。光信号の周波数は、画像データの周波数よりははるかに高い。これで１フレームが終了し、次のフレームの映像信号が書き込まれる。
【００１８】
図４は本発明による有機ＥＬ表示装置の構成を示す回路図である。図４において、ゲート線ＧＬが横方向に延在し、縦方向に配列している。各ゲート線ＧＬはゲート端子Ｇ１乃至Ｇｎと接続している。また、信号線ＳＬが縦方向に延在し、横方向に配列している。各信号線ＳＬは第２ＴＦＴを介して信号端子Ｓ１乃至Ｓｍと接続している。ゲート線ＧＬと信号線ＳＬとに囲まれた領域が画素ＰＸになっている。また、各信号線ＳＬは第１ＴＦＴを介して光信号入力端子Ｔ１乃至Ｔｍと接続している。
【００１９】
図４において、表示領域１０００内に画素ＰＸがマトリクス状に配置している。各画素ＰＸには、有機ＥＬ層１０、駆動ＴＦＴ２０、選択ＴＦＴ３０、蓄積容量４０が配置している。なお、この画素構成は、最も単純な画素構成の一つであり、実際には他の目的のＴＦＴ等が配置している。
【００２０】
各画素において、有機ＥＬ層１０と直列に駆動ＴＦＴ２０が接続している。駆動ＴＦＴ２０は他の側でアノード線ＡＬと接続し、有機ＥＬセル１０のカソード側はカソード線ＫＬと接続している。有機ＥＬ層１０を駆動する駆動ＴＦＴ２０のゲートは蓄積容量４０と接続している。蓄積容量４０は他の端子でアノード線ＡＬと接続している。駆動ＴＦＴ２０は蓄積容量４０に蓄積された電荷に応じて有機ＥＬ層１０に電源からの電流を供給する。
【００２１】
駆動ＴＦＴ２０のゲート及び蓄積容量４０は選択ＴＦＴ３０と接続している。選択ＴＦＴ３０のゲートはゲート線ＧＬと接続し、ゲート電圧によってＯＮすると、信号線ＳＬから映像信号を蓄積容量４０に送り込む。駆動ＴＦＴ２０は、蓄積容量４０に蓄積された電荷の量によって、有機ＥＬセル１０に駆動電流を供給する。図４において、各アノード線ＡＬはアノード電源端子ＡＴと接続し、カソード線ＫＬはカソード電源端子ＫＴと接続している。各アノード電源端子ＡＴと各カソード電源端子ＫＴには直流電圧が供給される。
【００２２】
本発明の特徴は、画面の上側に光通信のための光信号端子Ｔ１乃至Ｔｍが配置し、信号線ＳＬと第１ＴＦＴ５０を介して接続していることである。第１ＴＦＴ５０のゲートは、第１制御端子Ｔ０と接続した第１制御線ＣＬ１と接続し、光通信切り替え信号によってＯＮ、ＯＦＦ駆動する。
【００２３】
一方、信号端子Ｓ１乃至Ｓｎは画面の下側に配置しており、第２ＴＦＴ６０を介して信号線ＳＬと接続している。第２ＴＦＴ６０のゲートは、第２制御端子Ｓ０と接続した第２制御線ＣＬ２と接続し、映像信号切り替え信号によってＯＮ、ＯＦＦ駆動する。
【００２４】
図４において、画面に画像を表示する時は、第２制御線ＣＬ２にＯＮ信号を印加し、第２ＴＦＴ６０をＯＮにして、映像信号が各画素に供給され、映像信号が各画素の蓄積容量４０に書き込まれる。これが、図３における書込み期間である。そうすると、映像信号に応じた電流が有機ＥＬ層１０に流れ、所定の時間保持される。これが図３におけるホールド期間である。
【００２５】
ホールド期間が終了すると、各画素に黒信号が書きこまれ、黒表示が行われる。黒表示は各画素に書き込んだ映像信号データをリセットするものである。黒表示は、また、動画のぼけの防止し、画像のコントラストの向上の役割を有する。
【００２６】
黒表示期間が終了すると、第２ＴＦＴ６０は第２制御端子Ｓ０からの制御信号によってＯＦＦになる。これと同時に、第１制御端子Ｔ０から第１制御線ＣＬ１を介してＯＮ信号が第１ＴＦＴ５０のゲートに入力され、第１ＴＦＴ５０がＯＮになる。さらに、これと同時にゲート端子Ｇ１乃至Ｇｎ全てにＯＮ信号が加えられ、全ての画素の選択ＴＦＴ３０がＯＮになる。これによって、光信号入力端子から各画素に光通信信号を送ることが可能になる。
【００２７】
その後、光信号入力端子Ｔ１〜Ｔｍから光通信データが各画素に入力される。光通信データの周波数は、映像信号の周波数よりもはるかに高い。光通信データは図３における光通信期間の間発信される。所定の期間経過すると、第１制御端子Ｔ０からの信号によって第１制御ＴＦＴ５０がＯＦＦする。
【００２８】
同時に第２制御端子Ｓ０からの信号によって第２ＴＦＴ６０をＯＮする。これによって、映像信号印加端子Ｓ１〜Ｓｍから次のフレームにおける映像信号を各画素に入力可能になるので、第１ゲート端子Ｇ１〜第ｎゲート端子から順次ゲート信号を入力し映像信号を書き込む。
【００２９】
図５はこの一連の動作を示す図である。図５の一番上の段におけるＶｓｙｎｃは、各フレームのスタート信号である。６０Ｈｚはフレーム周波数を示している。１フレームは点線で示すように、第１期間乃至第４期間の４つの期間に分かれている。図５の２段目の映像信号入力は、外部から入力された映像信号を１フレームの期間をかけてフレームメモリに入力することを示している。
【００３０】
図５の３段目において、第４期間に光通信データが入力される。また、光通信データは、第４期間において、表示装置の外部に発信される。光通信データは映像信号よりもはるかに高い周波数であるが、その実効値が画面輝度に対して影響を与える場合がある。つまり、光通信データの量の多寡によって、画面輝度が影響を受ける場合がある。
【００３１】
図５の４段目は、フレームメモリに入力された映像信号を光通信データによって補正することを示している。つまり、光通信データの実効値の輝度への影響を計算し、これを映像信号に反映させるものである。この補正は、光通信データの影響を直接、映像信号の補正に用いる場合もあるが、γ特性に反映させる場合もある。
【００３２】
映像信号と画面輝度の関係は、γ特性によって決まるが、このγ特性を示すテーブルを数種類用意しておく。光通信データの量によって、画面輝度に対する影響が異なるので、光通信のデータ量を数段階に分け、各段階に応じて異なるγ特性のテーブルを参照する。こうすることによって、演算の量を抑えることが出来る。図５に示すように、補正された映像信号は、次のフレームにおける映像信号として使用される。
【００３３】
なお、同様な輝度補正は、γ特性ではなく、有機ＥＬ層を挟んで配置されるカソードとアノード間の電圧を補正することによっても可能である。つまり、有機ＥＬ層の輝度は、カソードとアノード間の電圧によって制御することが可能であるので、カソードとアノード間の電圧を必要な段階に分けておく。光通信のデータ量を数段階に分け、各段階に応じてカソードとアノード間の電圧を対応させて輝度補正を行うことが出来る。
【００３４】
図５における５段目は、ゲート線の走査状態を示す図である。映像走査と記されている第１期間において、ゲート線は、第１から第ｎまで上から順次選択され、映像信号が各画素に書き込まれる。図５の６段目に描かれている星マークは、書き込まれた映像信号を示している。その後、書き込まれたデータはホールド期間、各画素にホールドされ、画像が表示される。
【００３５】
ホールド期間が終了すると、黒信号を書込み、各画素における映像データをリセットし、次のフレームにおける映像信号の書き込みを可能とする。黒表示は、また、動画におけるぼけの抑制、画像のコントラストの向上の役割も有する。
【００３６】
その後、図４に示す第２ＴＦＴ６０をＯＦＦし、第１ＴＦＴ５０をＯＮして光信号入力端子Ｔ１乃至Ｔｍから光信号を入力することを可能にする。同時に全ゲート線をＯＮして、全画素から光信号を発信する。この期間が図５の５段目の「ゲート全ＯＮ」の期間である。図５におけるグレー表示のＬＣは光通信を行っている状態を示している。光信号は、周波数帯が映像信号に比べてはるかに高いので、輝度への影響は小さいが、それでも、ある程度の影響は生ずる。しがって、光信号を発信する期間は画面が黒ではなく、グレーになる。
【００３７】
図５における各期間に対応して、５段目の下に描かれてている図は、各期間に対応した入力信号である。表示装置の画面全体としては、４つの期間をトータルしたデータが表示される。光信号による画面輝度への影響は、図５の４段目に示す映像信号への補正処理によって補正されているので、光信号の画面輝度への影響は抑えることが出来る。
【００３８】
図５の一番下に描かれているように、ディスプレイの画像としては星マークが表示されるが、図５の５段目に示すゲート全ＯＮ期間に光通信データが発信されている。このプロセスがフレーム期間ごとに繰り返されるので、光データは各フレーム毎に発信される。
【実施例２】
【００３９】
実施例１は、１フレームを４期間に分け、そのうちの第４期間を、ゲートを全ＯＮにして、光通信に使用している。光通信に使用している間は、黒表示できないので、その期間の分は、動画に対するぼけ防止の効果が小さくなり、また、コントラストの低下も生ずる。
【００４０】
本実施例は、光通信を行う場合でも、画面の一部を利用して行い、画面の他の領域は黒表示として、動画に対する影響、あるいは、画面のコントラストに対する影響を最小限に抑えるものである。この場合、光通信を行う画面の領域は、表示装置の種類によって、最も目立たない領域とすることが出来る。
【００４１】
図６は実施例２における第１の形態を示す図である。図６において、フレーム期間を４つに分け、映像信号を書込み、ホールドを行い、黒走査を行うまでは図５と同じでる。黒走査を行った後の第４期間において、第１ＴＦＴをＯＮし、第２ＴＦＴをＯＦＦにして、所定の数のゲート線を全ＯＮにする。本実施形態では、画面全体のゲート線を全ＯＮするのではなく、画面の上側に対応する複数のゲート線のみを全ＯＮすることを特徴としている。つまり、図６に示すように、第４期間の最初の期間ｔ１の間のみ光信号が送信される。
【００４２】
全ＯＮされなかった他のゲート線に対応する表示領域では、各画素に黒データが保持されるので、黒表示が維持される。したがって、第４期間においても、大部分の期間は黒表示が行われるので、画面全体としての、動画表示の劣化や画面コントラストの劣化は目立たなくなる。また、フレームメモリに蓄積された映像データに対する補正のための回路規模も小さくすることが出来る。
【００４３】
図７は、本実施例の第２の実施形態であり、図６とは逆に画面の下側のみで光通信を行う場合の図である。図７において、フレーム期間を４つに分け、映像信号入力を書込み、ホールドを行い、黒走査を行うまでは図５と同じである。
【００４４】
第４期間において、画面の下側の領域に対応する複数のゲート線のみをＯＮする。そして、ＯＮになっている領域から光信号を発信する。つまり、図７において、第４期間の始まりから、ｔ２経過した後、ｔ３の期間だけ、光通信のための信号を発信する。
【００４５】
図７では、第４期間において、画面の下側に光通信のためのグレー領域ＬＣが形成されるが、画面の大部分には黒表示が行われるので、動画への影響あるいは、画面のコントラストへの影響は限定的である。
【００４６】
表示装置によっては、コントラストや画像への影響が生ずる領域は、画面の上側よりも、画面の下側のほうが目立たない場合があるので、この場合は、本実施形態を使用することが出来る。なお、本実施例は、光通信を行う領域を画面の上側あるいは下側に限らず、画面の中央付近に設定することも出来る。要するに、表示装置の種類によって、画面の最も目立たない領域に光通信用の領域を設定すればよい。
【００４７】
また、画面の上側の光通信を行う画面の領域、つまり、図６での第４期間におけるｔ１あるいは、画面の下側の光通信を行う画面の領域、つまり、図７におけるｔ３は、光通信の通信量によって設定すればよい。この場合、ＴＦＴ１とＴＦＴ２の切り替え時期を制御すればよい。
【実施例３】
【００４８】
図８は本発明の実施例３の第１の形態を示す有機ＥＬ表示装置の構成を示す回路図である。図８が図４と異なる点は、有機ＥＬ表示装置のアノード電源に光通信信号ＬＤを重畳する点である。アノード電源は通常は一定であり、実際の有機ＥＬ層のアノードには、駆動ＴＦＴを介した電圧が印加される。
【００４９】
本実施例では、このアノード電源電圧ＶＡに光通信のための高周波データＬＤを重畳するものである。光通信のためのデータＬＤの周波数は、映像信号の周波数に比べてはるかに高いので、光通信データＬＤがここの映像信号に影響を与えることは無い。したがって、この場合の光通信は、１フレームの全期間を使用することが出来る。
【００５０】
光通信は、少なくとも、画面が光を出力しているときに行う必要がある。したがって、本実施例における光通信は、例えば、図２に示すようなホールド期間において行う。つまり、光通信データの書き込みは１フレームのいつでもよいが、これをメモリに記録して、例えば、ホールド期間に発信することが出来る。
【００５１】
また、この方法は、画面の一部を用いて光通信を行うことも出来る。すなわち、画面に一部の領域の走査線を走査しているときに光通信信号を重畳させることが出来る。さらに、映像信号線と光通信信号の両方をフレームメモリ等書き込んでおく場合は、特定の範囲の映像信号に光通信信号を重畳させる操作を行うことによって、画面の一部を用いて光通信を行うことが出来る。
【００５２】
図９は、本実施例における第２の実施形態の構成を示す回路図である。図９が図８と異なる点は、有機ＥＬ表示装置のカソード電源に光通信信号ＬＤを重畳する点である。カソード電源は通常は一定である。図９では、このカソード電源電圧ＶＫに光通信のために高周波データＬＤを重畳するものである。光通信のためのデータＬＤの周波数は、映像信号の周波数に比べてはるかに高いので、光通信データがここの映像信号に影響を与えることは無い。したがって、この場合の光通信は、１フレームの全期間を使用することが出来る。また、カソード電源に光通信信号ＬＤを重畳させる場合もアノード電源に重畳させる場合と同様に、画面が光っている期間、例えば、ホールド期間において行うことはアノードに信号ＬＤを重畳させる場合と同じである。
【００５３】
一方、個々の映像信号と光通信とでは、周波数帯が全く異なるので、光通信データが映像信号線に影響を与えることは無いが、各フレーム毎に比較した場合、フレーム毎に光通信信号の量が異なる場合がある。このような場合、各フレーム毎に光通信信号による画面輝度への影響が生ずる場合がある。
【００５４】
光信号の画面輝度への影響は、光信号の実効値の差の影響として現れる。この実効値は、光信号を読み込んで、メモリに記憶すると同時に、演算することが出来る。したがって、各フレームにおいて、画像を表示する際、カソードーアノード間の電圧にフィードバックすることによって、輝度を補正することが可能である。
【００５５】
図１０はこのプロセスを示す図である。図１０（Ａ）は、第１フレームの光信号の量が第２フレームの光信号の量よりも多いことを示している。図１０（Ｂ）は、この結果、光信号による実効値が、第１フレームにおけるほうが第２フレームよりも大きくなっていることを示している。図１０（Ｂ）におけるＥｆｆは画面輝度を決める電圧あるいは電流の実効値を表している。図１０（Ｃ）は、この実行値の差を補正するために、第２フレームにおけるカソードーアノード間の電圧を第２フレームにおいて大きくしていることを示している。図１０（Ｄ）は、その結果、画面輝度が第１フレームと第２フレームとで同じになったことを示している。図１０（Ｄ）におけるＥｆｆは画面輝度を決める電圧あるいは電流の実効値を表している。
【００５６】
この場合、光通信信号の実効値の変化をいくつかの段階に分けておき、各段階毎に、対応するカソードとアノード間の電圧を対応させることによって迅速なフィードバックが可能になる。
【００５７】
なお、光通信信号の実行値の変化をいくつかの段階に応じて、カソードーアノード間の電圧を変化させる代わりに、γ特性を変化させることによっても画面の輝度の補正は可能である。この場合も、γ特性の表をいくつか容易しておき、光通信信号の実行値の変化の段階に応じてγ特性を選択することが出来る。
【００５８】
以上の説明では、有機ＥＬ表示装置について説明した。一方、液晶表示装置も、動画のぼけを対策するために、黒表示を行う。液晶表示装置において、黒表示を行う期間において、実施例１あるいは２で説明したように、光通信を行うことが出来る。
【００５９】
液晶表示装置では、個々の画素において、液晶層の透過率が画素電極とコモン電極との電圧差によって制御される点を除いて、図４とほぼ同じ構成の回路を使用することが出来る。すなわち、映像信号を書き込む段階では、第１ＴＦＴ５０をＯＦＦ状態とする。そして黒表示をする段階において、黒表示の一部の期間を光通信に用いる。この場合は、第１ＴＦＴ５０をＯＮすると同時に第２ＴＦＴをＯＦＦする。そして、光通信の期間が終わったあと、第１ＴＦＴ６０をＯＦＦして第２ＴＦＴ６０をＯＮすることによって、再び映像信号線を書き込み、画像を表示する。
【符号の説明】
【００６０】
１０…ＯＬＥＤ層、  ２０…駆動ＴＦＴ、  ３０…選択ＴＦＴ、  ４０…保持容量、  ５０…第１ＴＦＴ、  ６０…第２ＴＦＴ、  １００…有機ＥＬ表示装置、  １１０…天気予報データ、  １０００…表示領域、  ＡＬ…アノードライン、  ＡＴ…アノード端子、  ＣＬ１…第１制御線、  ＣＬ２…第２制御ライン、  ＫＴ…カソードライン、  ＫＴ…カソード端子、ＬＤ…光通信データ、ＧＬ…ゲートライン、  Ｇ１乃至Ｇｎ…ゲート端子、  ＳＬ…映像信号ライン、  Ｓ１乃至Ｓｍ…映像信号端子、  Ｓ０…第１制御端子、  Ｔ１乃至Ｔｍ…光信号入力端子、  Ｔ０…第２制御端子、  ＶＡ…アノード電源電圧、  ＶＫ…カソード電源電圧
【図１】
2018072717.tif 000003
【図２】
2018072717.tif 000004
【図３】
2018072717.tif 000005
【図４】
2018072717.tif 000006
【図５】
2018072717.tif 000007
【図６】
2018072717.tif 000008
【図７】
2018072717.tif 000009
【図８】
2018072717.tif 000010
【図９】
2018072717.tif 000011
【図１０】
2018072717.tif 000012